(57)【要約】【課題】透光体による複数のＬＥＤ発光色と輝度の変化で使用者にモニター表示することができる発光表示装置を提供することを目的とする。【解決手段】長形状の透光体１の両端に配した多色発光可能に設けたＬＥＤ２と、このＬＥＤ２の発光色または輝度を制御する制御手段３と、制御手段３とＬＥＤ２に電源を供給する電源部４とを備え、制御手段３はＬＥＤ２を通電制御して、透光体１を複数色または輝度を変えて発光可能とすることにより、透光体１による複数のＬＥＤ２の発光色と輝度の変化で使用者にモニター表示することができる発光装置が得られる。【選択図】図１
2008026356.tif 000002
【特許請求の範囲】
【請求項１】
長形状の透光体の両端に配した多色発光可能に設けたＬＥＤと、このＬＥＤの発光色または輝度を制御する制御手段と、この制御手段と前記ＬＥＤに電源を供給する電源部とを備え、前記制御手段は前記ＬＥＤを通電制御して、前記透光体を複数色または輝度を変えて発光可能とした発光表示装置。
【請求項２】
少なくとも透光体を前面に配置して一体化した本体と、この本体を着脱可能に固定する固定手段とを備えた請求項１記載の発光表示装置。
【請求項３】
本体を収納する外郭体を透明または半透明または半透明な材質により形成し、前記外郭体を防水可能な密閉構造とした請求項２記載の発光表示装置。
【請求項４】
環境状態または危険状態を検出する検出手段を制御手段に接続可能に設け、前記制御手段は前記検出手段からの検出データによりＬＥＤの発光色または輝度を制御する構成とした請求項１記載の発光表示装置。
【請求項５】
環境状態を検出する検出手段として、温度センサーまたは温度センサーを使用するとともに各センサーの検出値に対応して特定の発光色または輝度を割り当ててなる請求項４記載の発光表示装置。
【請求項６】
環境状態を検出する検出手段として、粉塵センサーまたはガスセンサーを使用するとともに、各センサーの検出値に対応して特定の発光色または輝度を割り当ててなる請求項４記載の発光表示装置。
【請求項７】
環境状態または危険状態を検出する検出手段としてＣＯセンサーまたはＣＯ2センサーを使用するとともに、各センサーの検出値に対応して特定の発光色または輝度を割り当ててなる請求項４記載の発光表示装置。
【請求項８】
危険状態を検出する検出手段として、種々の障害物センサーを使用するとともに、各センサーの検出値に対応して特定の発光色または輝度を割り当ててなる請求項４記載の発光表示装置。
【請求項９】
危険状態を検出する検出手段として、人体を検出する赤外線センサーまたは本体の振動を検出する振動センサーを使用するとともに、赤外線検出値または振動検出値に対応して特定の発光色または輝度を割り当ててなる請求項４記載の発光表示装置。
【請求項１０】
長形状の透光体を屈曲可能に設け、使用場所に対応した形状に変更可能な請求項１記載の発光表示装置。
【発明の詳細な説明】
【技術分野】
【０００１】
本発明は、ＬＥＤの照射側に設けた透光体または光伝達体により分かりやすく表示をすることができる発光表示装置に関する。
【背景技術】
【０００２】
従来、この種の発光表示装置の一例として線状発光体が知られている（例えば、特許文献１参照）。
【０００３】
以下、その線状発光体について図１３および図１４を参照しながら説明する。
【０００４】
図に示すように、光伝送チューブ１０１は、管状のクラツド１０２と、このクラツド１０２より高屈折率の透明コア１０３と、クラツド１０２と透明コア１０３の間に設けた光反射層１０４とからなり、光伝送チューブ１０１は、一端部が適宜のジョイント部材１０５に固定され、また、ＬＥＤを用いた光源１０６もジョイント部材１０５を介して光チューブと一体に固定され、光源１０６側と駆動装置１０７との間は配線コード１０８で配線され構成されている。
【特許文献１】特開平１１−６６９２８号公報（［００１０］［００２６］図１、図２）
【発明の開示】
【発明が解決しようとする課題】
【０００５】
このような従来の線状発光体では、ＬＥＤを用いた表示体としては視認性は確保できるが、表示が単調で多様な情報を伝えることが難しく使用者に多様な情報を分かり易く表示することができないという課題があり、使用者に多様な情報を分かり易く表示することが要求されている。
【０００６】
本発明は、このような従来の課題を解決するものであり、複数の発光色と輝度の変化で発光表示することにより、使用者に多様な情報をモニター表示することができる発光表示装置を提供することを目的としている。
【課題を解決するための手段】
【０００７】
本発明の発光表示装置は上記目的を達成するために、長形状の透光体の両端に配した多色発光可能に設けたＬＥＤと、このＬＥＤの発光色または輝度を制御する制御手段と、この制御手段と前記ＬＥＤに電源を供給する電源部とを備え、前記制御手段は前記ＬＥＤを通電制御して、前記透光体を複数色または輝度を変えて発光可能としたものである。
【０００８】
この手段により、複数の発光色と輝度の変化で発光表示することにより、使用者に多様な情報をモニター表示することができる発光表示装置が得られる。
【０００９】
また、他の手段は、少なくとも透光体を前面に配置して一体化した本体と、この本体を着脱可能に固定する固定手段とを備えたものである。
【００１０】
この手段により、多様な使用条件に合せたモニター表示として使用することができる発光表示装置が得られる。
【００１１】
また、他の手段は、本体を収納する外郭体を透明または半透明な材質により形成し、前記外郭体を防水可能な密閉構造としたものである。
【００１２】
この手段により、雨水などの浸入しない防水構造となり、屋外での使用に耐える発光表示装置が得られる。
【００１３】
また、他の手段は、環境状態または危険状態を検出する検出手段を制御手段に接続可能に設け、前記制御手段は前記検出手段からの検出データによりＬＥＤの発光色または輝度を制御する構成としたものである。
【００１４】
この手段により、さまざまな環境状態をモニター表示することができる発光表示装置が得られる。
【００１５】
また、他の手段は、環境状態を検出する検出手段として温度センサーまたは温度センサーを使用するとともに、各センサーの検出値に対応して特定の発光色または輝度を割り当ててなるものである。
【００１６】
この手段により、居室または車内の温湿度状況を発光色と輝度による表示でモニター表示することができる発光表示装置が得られる。
【００１７】
また、他の手段は、環境状態を検出する検出手段として、粉塵センサーまたはガスセンサーを使用するとともに、各センサーの検出値に対応して特定の発光色または輝度を割り当ててなるものである。
【００１８】
この手段により、居室または車内の空気中の粉塵や有機ガスによる汚染状況を発光色と輝度による表示でモニター表示することができる発光表示装置が得られる。
【００１９】
また、他の手段は、環境状態または危険状態を検出する検出手段としてＣＯセンサーまたはＣＯ2センサーを使用するとともに、各センサーの検出値に対応して特定の発光色または輝度を割り当ててなるものである。
【００２０】
この手段により、居室または車内のＣＯガスまたはＣＯ2ガスによる汚染状況を発光色と輝度による表示でモニター表示することができる発光表示装置が得られる。
【００２１】
また、他の手段は、危険状態を検出する検出手段として種々の障害物センサーを使用するとともに、各センサーの検出値に対応して特定の発光色または輝度を割り当ててなるものである。
【００２２】
この手段により、車の移動時に死角となる範囲に動物や障害物を検出した状況を、発光色と輝度による変化でモニター表示することができる発光表示装置が得られる。
【００２３】
また、他の手段は、危険状態を検出する検出手段として、人体を検出する赤外線センサーまたは本体の振動を検出する振動センサーを使用するとともに、赤外線検出値または振動検出値に対応して特定の発光色または輝度を割り当ててなるものである。
【００２４】
この手段により、不審者に対してＬＥＤの発光色と輝度の変化による表示で警告することができる発光表示装置が得られる。
【００２５】
また、他の手段は、長形状の透光体を屈曲可能に設け、使用場所に対応した形状に変更可能な構成としたものである。
【００２６】
この手段により収納時に小さくして省スペース化が可能であるとともに、室内装飾に利用することができる発光表示装置が得られる。
【発明の効果】
【００２７】
本発明によれば透光体による複数のＬＥＤ発光色と輝度の変化で使用者にモニター表示することができるという効果のある発光表示装置を提供できる。
【００２８】
また、多様な使用条件に合せたモニター表示として使用することができるという効果のある発光表示装置を提供できる。
【００２９】
また、雨水などの浸入しない防水構造となり、屋外での使用に耐えるという効果のある発光表示装置を提供できる。
【００３０】
また、さまざまな環境状態をモニター表示することができるという効果のある発光表示装置を提供できる。
【００３１】
また、居室または車内の温湿度状況を発光色と輝度による表示でモニター表示することができるという効果のある発光表示装置を提供できる。
【００３２】
また、居室または車内の空気中の粉塵や有機ガスによる汚染状況を発光色と輝度による表示でモニター表示することができるという効果のある発光表示装置を提供できる。
【００３３】
また、居室または車内のＣＯガスまたはＣＯ2ガスによる汚染状況を発光色と輝度による表示でモニター表示することができるという効果のある発光表示装置を提供できる。
【００３４】
また、車を移動時に死角となる範囲に動物や障害物を検出した状況を、発光色と輝度による表示でモニター表示することができるという効果のある発光表示装置を提供できる。
【００３５】
また、不審者に対してＬＥＤの発光色と輝度の変化による表示で警告することができるという効果のある発光表示装置を提供できる。
【００３６】
また、小型化して収納時は省スペース化できるとともに、室内装飾に利用することができるという効果のある発光表示装置を提供できる。
【発明を実施するための最良の形態】
【００３７】
本発明の請求項１記載の発明は、長形状の透光体の両端に配した多色発光可能に設けたＬＥＤと、このＬＥＤの発光色または輝度を制御する制御手段と、この制御手段と前記ＬＥＤに電源を供給する電源部とを備え、前記制御手段は前記ＬＥＤを通電制御して前記透光体を複数色または輝度を変えて発光可能としたものであり、制御手段は多色発光可能なＬＥＤの発光色を選択するか、ＬＥＤの輝度を調整することにより、ＬＥＤが照射する透光体に混合色部または輝度の変化を生じ、透光体による複数のＬＥＤ発光色と輝度の変化で使用者にモニター表示をすることができるという作用を有する。
【００３８】
また、請求項２記載の発明は、少なくとも透光体を前面に配置して一体化した本体と、この本体を着脱可能に固定する固定手段とを備えたものであり、透光体を前面に配置して一体化した本体を、用途に応じて車内や室内等に着脱自在に設置できる磁石、両面テープ、クリップなどの固定手段を備えることで、多様な使用条件に合せたモニター表示として使用することができるという作用を有する。
【００３９】
また、請求項３記載の発明は、本体を収納する外郭体を透明または半透明な材質により形成し、前記外郭体を防水可能な密閉構造としたものであり、本体を透明または半透明な外郭で覆うことにより、ＬＥＤ発光を視認可能とするとともに、雨水など浸入しない防水構造として、屋外での使用に耐える構造とすることができるという作用を有する。
【００４０】
また、請求項４記載の発明は、環境状態または危険状態を検出する検出手段を制御手段に接続可能に設け、前記制御手段は前記検出手段からの検出データによりＬＥＤの発光色または輝度を制御する構成としたものであり、検出手段が検出した環境状態に応じて、ＬＥＤの発光色または輝度を変化させて透光体に表示させることができ、制御部に接続する検出手段を取り替えることにより、さまざまな環境状態をモニター表示することができるという作用を有する。
【００４１】
また、請求項５記載の発明は、環境状態を検出する検出手段として、温度センサーまたは湿度センサーを使用するとともに、各センサーの検出値に対応して特定の発光色または輝度を割り当ててなるものであり、温度または湿度の変化を、例えば温度表示として一方を暖色系ＬＥＤの輝度を変えて発光させ、湿度表示として他方を寒色系ＬＥＤの輝度を変えて発光させることにより、温度センサーまたは湿度センサーの設置場所により、居室または車内の温湿度状況を発光色と輝度による表示でモニター表示することができるという作用を有する。
【００４２】
また、請求項６記載の発明は、環境状態を検出する検出手段として粉塵センサーまたはガスセンサーを使用するとともに、各センサーの検出値に対応して特定の発光色または輝度を割り当ててなるものであり、粉塵濃度または汚染ガスの変化を、例えば粉塵濃度表示として一方をダーク系のＬＥＤの輝度を変えて発光させ、汚染ガス表示として他方を白色系ＬＥＤの輝度を変えて発光させることにより、粉塵センサーまたはガスセンサーの設置場所により、居室または車内の空気の粉塵や有機ガスによる汚染状況を発光色と輝度による表示でモニター表示することができるという作用を有する。
【００４３】
また、請求項７記載の発明は、環境状態または危険状態を検出する検出手段としてＣＯセンサーまたはＣＯ2センサーを使用するとともに、各センサーの検出値に対応して特定の発光色または輝度を割り当ててなるものであり、ＣＯ濃度またはＣＯ2濃度の変化を、例えばＣＯ濃度表示として一方を赤色のＬＥＤの輝度を変えて発光させ、ＣＯ2濃度表示として他方を黄色のＬＥＤの輝度を変えて発光させることにより、居室または車内のＣＯガスまたはＣＯ2ガスによる汚染状況を発光色と輝度による表示でモニター表示することができるという作用を有する。
【００４４】
また、請求項８記載の発明は、危険状態を検出する検出手段として、種々の障害物センサーを使用するとともに、各センサーの検出値に対応して特定の発光色または輝度を割り当ててなるものであり、障害物センサーとして赤外線検出値または超音波反射値の変化を、例えば一方を赤色のＬＥＤの輝度を変えて発光させ、他方を白色のＬＥＤの輝度を変えて発光させることにより、車をバックで移動させるような場合に、死角となる範囲に動物や障害物を検出した状況を、発光色と輝度による表示でモニター表示することができるという作用を有する。
【００４５】
また、請求項９記載の発明は、危険状態を検出する検出手段として、人体を検出する赤外線センサーまたは本体の振動を検出する振動センサーを使用するとともに、赤外線検出値または振動検出値に対応して特定の発光色または輝度を割り当ててなるものであり、屋外または車外に設置した赤外線センサーの検出値に応じて、黄色のＬＥＤの輝度を変えて発光させ、屋外または車外に設置した振動センサーの検出値に応じて、赤色のＬＥＤの輝度を変えて発光させることにより、夜間に外部からの侵入者や不審者が家屋や車体に近接したとき、また、家屋や車体に接触して危害を加えようとしたときに、発光表示装置を窓際などに配置することで、不審者に対してＬＥＤの発光色と輝度の変化による表示で警告することができるという作用を有する。
【００４６】
また、請求項１０記載の発明は、長形状の透光体を屈曲可能に設け、使用場所に対応した形状に変更可能なものであり、車内などの狭い空間で使用するときには、長形状の透光体を円形などに変形して保存したり、ハート型に変形して室内装飾に利用することができるという作用を有する。
【００４７】
以下、本発明の実施の形態について図面を参照しながら説明する。
【００４８】
（実施の形態１）
図１〜図３に示すように、長形状の透光体１の両端に配した多色発光可能に設けたＬＥＤ２と、ＬＥＤ２の発光色または輝度を制御する制御手段３と、制御手段３とＬＥＤ２に電源を供給する電源部４とを備え、制御手段３はＬＥＤ２を通電制御して透光体１を複数色または輝度を変えて発光可能とする。
【００４９】
また、少なくとも透光体１を前面に配置して一体化した本体５と、本体５を着脱可能に固定する磁石、両面テープ、クリップなどの固定手段６を設け、本体５を収納する外郭体７を防水可能な密閉構造とし、環境状態または危険状態を検出する検出手段８を制御手段３に接続可能に設け、制御手段３は検出手段８から検出データによりＬＥＤ２の発光色または輝度を制御する構成とする。
【００５０】
上記構成において、長形状の透光体１の両端に配した多色発光可能に設けたＬＥＤ２と、ＬＥＤ２の発光色または輝度を制御する制御手段３と、制御手段３とＬＥＤ２に電源を供給する電源部４とを備え、制御手段３はＬＥＤ２を通電制御して透光体１を複数色または輝度を変えて発光可能に設けたので、制御手段３は多色発光可能なＬＥＤ２の発光色を選択するかＬＥＤ２の輝度を調整することにより、ＬＥＤ２が照射する透光体１に混合色部または輝度の変化を生じ透光体１による複数のＬＥＤ２の発光色と輝度の変化で使用者にモニター表示をすることができることとなる。
【００５１】
また、少なくとも透光体１を前面に配置して一体化した本体５を、用途に応じて車内や室内等に着脱自在に設置できる磁石、両面テープ、クリップなどの固定手段６を用いることで、多様な使用条件に合せたモニタ表示として使用することができることとなる。
【００５２】
また、本体５を収納する外郭体７を透明または半透明な材質により形成し、外郭体７を防水可能な密閉構造としたので、本体５を透明または半透明な外郭体７で覆うことによりＬＥＤ２の発光を視認可能とするとともに雨水などの浸入しない防水構造として屋外での使用に耐える構造とすることができることとなる。
【００５３】
また、環境状態または危険状態を検出する検出手段８を制御手段３に接続可能に設け、制御手段３は検出手段８からの検出データによりＬＥＤ２の発光色または輝度を制御する構成としたので、検出手段８が検出した環境状態に応じてＬＥＤ２の発光色または輝度を変化させて透光体１に表示させることができ、制御手段３に接続する検出手段８を取り換えることにより、さまざまな環境状態をモニター表示することができることとなる。
【００５４】
なお、本実施の形態では多色発光可能なＬＥＤ２を、複数のＬＥＤの集合体として図示しているが、ＬＥＤ２を多色発光可能な１つのＬＥＤとして小型化してもよい。
【００５５】
（実施の形態２）
図４および図５に示すように、環境状態を検出する検出手段８Ａとして温度センサー９または湿度センサー１０を使用するとともに、温度センサー９と湿度センサー１０の検出値に対応して、例えば温度表示として一方を暖色系の赤色のＬＥＤ２Ａを用い、湿度表示として他方を寒色系の青色のＬＥＤ２Ｂを設ける。制御手段３Ａにより温度センサー９または湿度センサー１０の検出値に応じた発光色または輝度を割り当て、透光体１Ａを設けた本体５Ａを運転者が目視できる位置に設け、検出手段８Ａを車内１１の天井面等に設け構成する。
【００５６】
上記構成においては、温度または湿度の変化を、例えば温度表示として暖色系のＬＥＤ２Ａの輝度を変えて発光させ、湿度表示として寒色系のＬＥＤ２Ｂの輝度を変えて発光させることにより、温度センサー９または湿度センサー１０の設置場所により、居室または車内１１の温湿度状況を発光色と輝度による表示でモニター表示することができる。
【００５７】
また、赤色のＬＥＤ２Ａが強く点灯した場合には、居室または車内１１の温度が高まったことが本体５Ａに表示され、使用者は窓を開けたりエアコンを起動して室温を下げるように対応することができることとなる。
【００５８】
なお、本実施の形態では、温度センサーまたは湿度センサーを居室または車内に配置したが、２つの温度センサーを車内外または室内外にそれぞれ配置するようにして、内外の温度変化と温度差をモニター表示するようにしてもよい。
【００５９】
（実施の形態３）
図５および図６に示すように、環境状態を検出する検出手段８Ｂとして粉塵センサー１２またはガスセンサー１３を使用するとともに、粉塵センサー１２とガスセンサー１３の検出値に対応して、例えば粉塵濃度表示として、一方をダーク系のＬＥＤ２Ｃの輝度を変えて発光させ、汚染ガス表示として、他方を白色系のＬＥＤ２Ｄの輝度を変えて発光するように設ける。制御手段３Ｂにより特定の発光色または輝度を割り当ててなるように設け、透光体１Ｂを設けた本体５Ｂを運転者が目視できる位置に設け、検出手段８Ｂを車内の天井面等に設け構成する。
【００６０】
上記構成においては、粉塵濃度または汚染ガスの変化を、粉塵濃度表示として、ダーク系のＬＥＤ２Ｃの輝度を変えて発光させ、汚染ガス濃度表示として白色系のＬＥＤ２Ｄの輝度を変えて発光させることにより、粉塵センサー１２またはガスセンサー１３の設置場所により、居室または車内の空気中の粉塵や有機ガスによる汚染状況を発光色と輝度による表示でモニター表示をすることができる。
【００６１】
また、ダーク系のＬＥＤ２Ｃまたは白色系のＬＥＤ２Ｄが強く点灯した場合は、室内の粉塵濃度または汚染ガス濃度が高まったことが表示され、使用者は状況に応じて窓を開けて換気するか、空気清浄機を運転するか等を判断して対応することができることとなる。
【００６２】
（実施の形態４）
図５および図７に示すように、環境状態または危険状態を検出する検出手段８ＣとしてＣＯセンサー１４またはＣＯ2センサー１５を使用するとともに、ＣＯセンサー１４とＣＯ2センサー１５の検出値に対応して、例えばＣＯ濃度表示として一方を赤色のＬＥＤ２Ａの輝度を変えて発光させ、ＣＯ2濃度表示として他方を黄色のＬＥＤ２Ｅの輝度を変えて発光させるように設け、制御手段３Ｃにより特定の発光色または輝度を割り当ててなるように設け、透光体１Ｃを設けた本体５Ｃを運転者が目視できる位置に設け、検出手段８Ｃを車内の天井面等に設け構成する。
【００６３】
上記構成においては、ＣＯ濃度またはＣＯ2濃度の変化を、例えばＣＯ濃度表示として一方を赤色のＬＥＤ２Ａの濃度を変えて発光させ、ＣＯ2濃度表示として他方を黄色のＬＥＤ２Ｅの輝度を変えて発光させることにより、居室または車内のＣＯガスまたはＣＯ2ガスによる汚染状況を発光色と輝度による表示でモニター表示することができる。
【００６４】
また、赤色のＬＥＤ２Ａが強く点灯した場合はＣＯ濃度が高まったことが表示され、使用者は即座に窓を開けて換気することにより、ＣＯ中毒の事故を未然に防ぐことができることとなる。
【００６５】
（実施の形態５）
図８および図９に示すように、危険状態を検出する検出手段８Ｄとして種々の障害物センサー１６を使用するとともに、障害物センサー１６として赤外線検出値または超音波検出値の変化を、例えば一方を赤色のＬＥＤ２Ａの輝度を変えて発光させ、他方を白色のＬＥＤ２Ｄの輝度を変えて発光するように設け、制御手段３Ｄにより特定の発光色または輝度を割り当ててなるように設け、透光体１Ｄを設けた本体５Ｄを運転者が目視できる位置に設け、検出手段８Ｄの障害物センサー１６を車１７の後方の外部に備え構成する。
【００６６】
上記構成において、障害物センサー１６として赤外線検出値または超音波反射値の変化を、一方を赤色のＬＥＤ２Ａの輝度を変えて発光させ、他方を白色のＬＥＤ２Ｄの輝度を変えて発光させることにより、車１７をバックで移動させるような場合に、死角となる範囲に動物や障害物１８を検出した状況を、発光色と輝度による表示でモニター表示することができる。
【００６７】
また、赤色のＬＥＤ２Ａが強く点灯した場合は、人体や動物に接近していることが分かるので、使用者は即座に車１７を停止して人体などに危害を加えないように対応することができることとなる。
【００６８】
（実施の形態６）
図１０および図１１に示すように、危険状態を検出する検出手段８Ｅとして、人体を検出する赤外線センサー１９または本体の振動を検出する振動センサー２０を使用するとともに、屋外または車外に設置した赤外線センサー１９の検出値に応じて黄色のＬＥＤ２Ｅの輝度を変えて発光させ、屋外または車外に設置した振動センサー２０の検出値に応じて赤色のＬＥＤ２Ａの輝度を変えて発光させ、赤外線センサー１９と振動センサー２０の検出値に対応して制御手段３Ｅにより特定の発光色または輝度を割り当てるように設け、透光体１Ｅを設けた本体５Ｅを車内１１Ａに設け、赤外線センサー１９または振動センサー２０からなる検出手段８Ｅを車外に設置して構成する。
【００６９】
上記構成において、屋外または車外に設置した赤外線センサー１９の検出値に応じて黄色のＬＥＤ２Ｅの輝度を変えて発光させ、屋外または車外に設置した振動センサー２０を検出値に応じて赤色のＬＥＤ２Ａの輝度を変えて発光させることにより、夜間に外部からの浸入者や不審者が家屋や車体に近接したとき、また、家屋や車体に接触して危害を加えようとしたときに、発光表示装置を窓際などに配置することで、不審者に対してＬＥＤ２ＥまたはＬＥＤ２Ａの発光色と輝度の変化による表示で警告をすることができる。
【００７０】
また、ＬＥＤ２ＥまたはＬＥＤ２Ａの発光色や点滅を激しく変化させて警告表示することにより、不審者だけでなく、周囲にも警告状況が伝わるため、不審者は警戒して、その場を離れることになり、危険状況を回避することができることとなる。
【００７１】
（実施の形態７）
図１２に示すように、長形状の透光体１Ｆを屈曲可能に設け、使用場所に対応した形状に変更可能に構成する。
【００７２】
上記構成においては、車内などの狭い空間で使用するときには長形状の透光体１Ｆを円形などの小型形状に変形して保存したり、ハート型に変形して室内装飾に利用することができることとなる。
【産業上の利用可能性】
【００７３】
本発明にかかる発光表示装置は、透光体による複数のＬＥＤの発光色と輝度の変化で使用者にモニター表示することができるという効果を奏し、発光表示装置等に有用である。
【図面の簡単な説明】
【００７４】
【図１】本発明の実施の形態１の発光表示装置の概略構成を示すブロック図
【図２】同発光表示装置の本体の斜視図
【図３】同発光表示装置の外郭体の斜視図
【図４】本発明の実施の形態２の発光表示装置のブロック図
【図５】本発明の実施の形態２〜４の発光表示装置の車内設置を示す概略図
【図６】本発明の実施の形態３の発光表示装置のブロック図
【図７】本発明の実施の形態４の発光表示装置のブロック図
【図８】本発明の実施の形態５の発光表示装置のブロック図
【図９】同発光表示装置を車に設置した状態を示す概略図
【図１０】本発明の実施の形態６の発光表示装置のブロック図
【図１１】同発光表示装置を車に設置した状態を示す概略図
【図１２】本発明の実施の形態７の発行表示装置の透光体の正面図
【図１３】従来の線状発光体の概略構成図
【図１４】同線状発光体の光伝送チューブを示す側断面図
【符号の説明】
【００７５】
１    透光体
１Ａ  透光体
２    ＬＥＤ
２Ａ  ＬＥＤ
２Ｂ  ＬＥＤ
２Ｃ  ＬＥＤ
２Ｄ  ＬＥＤ
２Ｅ  ＬＥＤ
３    制御手段
３Ａ  制御手段
３Ｂ  制御手段
３Ｃ  制御手段
３Ｄ  制御手段
３Ｅ  制御手段
４    電源部
５    本体
６    固定手段
７    外郭体
８    検出手段
８Ａ  検出手段
８Ｂ  検出手段
８Ｃ  検出手段
８Ｄ  検出手段
８Ｅ  検出手段
９    温度センサー
１０  湿度センサー
１２  粉塵センサー
１３  ガスセンサー
１４  ＣＯセンサー
１５  ＣＯ2センサー
１６  障害物センサー
１９  赤外線センサー
２０  振動センサー
【図１】
2008026356.tif 000003
【図２】
2008026356.tif 000004
【図３】
2008026356.tif 000005
【図４】
2008026356.tif 000006
【図５】
2008026356.tif 000007
【図６】
2008026356.tif 000008
【図７】
2008026356.tif 000009
【図８】
2008026356.tif 000010
【図９】
2008026356.tif 000011
【図１０】
2008026356.tif 000012
【図１１】
2008026356.tif 000013
【図１２】
2008026356.tif 000014
【図１３】
2008026356.tif 000015
【図１４】
2008026356.tif 000016